(57)【要約】【課題】脚部の反りを防止することができる、２本の脚部を有する窯業系建材およびその製造方法を提供する。【解決手段】２本の脚部１ａ，１ｂを有する窯業系建材を押出成形によって製造する方法であって、混練された窯業系材料を押出し成形し、２本の脚部を有する押出し成形体１０を形成する工程と、２本の脚部１ａ，１ｂの間隔が変動しないように、押出された成形体の２本の脚部を拘束する治具１１によってその成形体を支持して養生する工程とを備える。【選択図】　　　　図４
2004058456.tif 000002
【特許請求の範囲】
【請求項１】
２本の脚部を有する窯業系建材を押出し成形によって製造する方法であって、
混練された窯業系材料を押し出し、断面に２本の脚部を有する押出し成形体を形成する工程と、
前記２本の脚部の間隔が変動しないように、前記押し出された成形体の２本の脚部を拘束しながら支持する治具によってその成形体を支持して養生する工程とを備える、窯業系建材の製造方法。
【請求項２】
前記押出し成形体を形成する工程において、前記２本の脚部の先端面のそれぞれに凹部が形成される押出し成形用の型を準備し、前記２本の脚部の先端面のそれぞれに凹部を有するように前記成形体を押し出し、前記養生工程では、前記先端面の凹部に嵌め入れられる凸部を有する治具を用意し、前記凹部に前記凸部を嵌め入れ、前記成形体を支持することにより、前記２本の脚部を拘束する、請求項１に記載の窯業系建材の製造方法。
【請求項３】
２本の脚部を含む所定の断面形状を有し、押出成形により得られる窯業系建材であって、
前記２本の脚部の先端面のそれぞれに、前記断面に交差する方向に延びる溝が設けられている、窯業系建材。
【発明の詳細な説明】
【０００１】
【発明の属する技術分野】
本発明は、窯業系建材およびその製造方法に関し、より具体的には、断面形状において２本の脚部を含む窯業系建材およびその製造方法に関するものである。
【０００２】
【従来の技術】
建材の外装材には各種の断面形状の押出し成形部材が用いられる。たとえば、袖壁や胴差し等には、断面形状がコ字状またはＨ形のように２本の脚部を有する押出し成形部材が用いられる。
【０００３】
また、建材を構成する材料には、樹脂材料、窯業系材料、木材など多種多様な材料が用いられる。この中で、とくに窯業系建材は、押出し成形部材の形成後に塗装を施すことができ、この塗装により木目模様など多様な色彩や模様を容易に付けることができる。また、不燃性にも優れる。
【０００４】
このため、窯業系材料により形成された、上記のコ字状部材やＨ形部材が汎用的に製造され、上記の袖壁や胴差し等の建材として用いられている。
【０００５】
【発明が解決しようとする課題】
上記の窯業系建材は、その製造工程において、押出し成形加工後、養生を行なう。この養生の際に反りが生じ、２本の脚部の間の寸法が変動しやすい。とくに断面形状が非対称であり、２本の脚部のうち一方の脚部の肉厚が他方に比べて厚い場合、反りが出やすい。２本の脚部は、建物駆体への取付部において、対面する建物駆体の部材と接続材をはさんで連続した側面を形成する。このとき、対面する建物駆体との間に寸法上の狂いがあると、表面に段差として表れる。さらに、該寸法が狭い方に狂いを生じると、建材自身を建物駆体に取り付けることができなくなることもあり得る。これを避けるため、とくに２本の脚部の間の内法寸法は重要である。
【０００６】
本発明は、脚部の反りを防止することができる、２本の脚部を有する窯業系建材およびその製造方法を提供することを目的とする。
【０００７】
【課題を解決するための手段】
本発明の窯業系建材の製造方法は、２本の脚部を有する窯業系建材を押出し成形によって製造する方法である。この製造方法は、混練された窯業系材料を押し出し、断面に２本の脚部を有する押出し成形体を形成する工程と、２本の脚部の間隔が変動しないように、押し出された成形体の２本の脚部を拘束しながら支持する治具によってその成形体を支持して養生する工程とを備える。
【０００８】
混練した窯業材料をダイスなどの型に通し、押出し成形体を形成した後、反りが出やすい養生工程において、治具によって２本の脚部の間隔が変動しないように拘束するので、反りは防止される。押出し成形体は、化粧材として外観を構成する面には治具を当てることは好ましくないので、脚部の先端付近または先端面を拘束する。上記の２本の脚部を有する建材としては、その断面が、コ字状建材やＨ形建材などを挙げることができる。２本の脚部の肉厚が異なっていてもよい。
【０００９】
上記の押出し成形体を形成する工程において、押出し成形体を形成する工程において、２本の脚部の先端面のそれぞれに凹部が形成される押出し成形用の型を準備し、２本の脚部の先端面のそれぞれに凹部を有するように成形体を押し出し、養生工程では、先端面の凹部に嵌め入れられる凸部を有する治具を用意し、凹部に凸部を嵌め入れ、成形体を支持することにより、２本の脚部を拘束するのがよい。
【００１０】
この方法により、化粧材となるこの窯業系建材の外観面に接触することなく、脚部先端面の凹部に嵌め入れられる凸部によって脚部の間隔が変動しないように拘束することができる。このため、化粧材の外観を意図した通りの意匠性に富んだ外観とした上で、高い寸法精度を確保することができる。
【００１１】
本発明の窯業系建材は、２本の脚部を含む所定の断面形状を有し、押出成形により得られる窯業系建材であって、２本の脚部の先端面のそれぞれに、断面に交差する方向に延びる溝が設けられる。
【００１２】
養生工程における拘束の痕跡の凹部は、化粧材として建物駆体に取り付ける際に建物駆体に向き、外観には現れない（または非常に目立たない）。このため、良好な寸法精度の化粧材を外観を害さずに建物に取り付けることができる。
【００１３】
【発明の実施の形態】
次に図面を用いて本発明の実施の形態について説明する。図１は、本発明の実施の形態における窯業系建材の斜視図である。窯業系建材１０は、正面部８と、その正面部８の両端から正面部の面に交差する方向に延びる２つの脚部１ａ，１ｂとを有している。２つの脚部１ａ，１ｂの先端面２ａ，２ｂには、押出し方向２０に沿って凹部（溝）３ａ，３ｂが設けられている。該窯業系建材の２つの脚部の間の内寸Ｌｉの精度を確保することが、施工上および施工後の良好な外観を保つうえで重要である。
【００１４】
この窯業系建材１０は化粧材であり、断面コ字形状の外側表面に化粧が施される。脚部の先端面２ａ，２ｂは、建物駆体の取付部に対面し、その取付部との間にシール材が配置される。凹部の形状は矩形でも、角部に滑らかな面取りがなされていてもよい。また、先細りのテーパが付いていてもよい。また、上記の２つの脚部１ａ，１ｂは非対称的で、一方の厚が他方に比べて厚くてもよい。
【００１５】
図２は、図１に示す窯業系建材が袖壁に用いられた状態を示す断面図である。門や出入口などの両脇の壁１５の先端部には、縦胴縁７や、鋼板製のハット型ジョイナ６が配置され、化粧材であるコ字状建材１０は、ステンレス製スクリュ釘５によって、袖壁駆体１５の先端部に固定されている。コ字状化粧材１０と、袖壁本体の化粧材１６との間にはシール部材２が挟まれており、水滴などの侵入を防止している。コ字状化粧材１０の２つの脚部が開くなどして内法寸法が変動する場合、袖壁本体の化粧材１６と、コ字状化粧材１０との間に段差ができ、外観を損ねることになり、極端な場合、取付不能となることもあり得る。上記は、袖壁に用いた例について説明したが、その他、破風、鼻隠し、胴差し、笠木、および付柱に用いてもよい。また、断面がコ字状の建材だけでなく、断面がＨ形状の建材にそのまま適用することができる。
【００１６】
窯業系材料には、水硬性セメント等の水硬性材料に、シリカ質原料、軽量骨材、補強繊維等を配合して得られる水硬性組成物が挙げられる。
【００１７】
次に、本発明の窯業系建材の製造方法について説明する。図３は、上記窯業系建材の製造工程を示す図である。まず、水を加えて混練した水硬性組成物を、押出機にて所望の開口形状を有する押出ダイスから押し出し、窯業系押出成形物を形成する。このとき、図１および図２に示すように、脚部の先端面２ａ，２ｂには、ともに凹部３ａ，３ｂが設けられている。
【００１８】
次いで、上記脚部の先端面の凹部に嵌るような凸部１２が設けられた治具１１に、押出し成形体１０が支持されるように、押出し成形体１０を治具上に配置する。図４に示すように、上記凹部と凸部とは係合しており、養生中、脚部の間隔変動を生じる反りなどを防止している。この後、図３に示すように、必要な場合には切断工程を経て、窯業材料の養生工程に入る。押出し成形体は、上記のように、治具に設けられた凸部に、その凹部を係合させた状態で、この養生工程を経過することが重要である。治具に設けられた凸部にその凹部を係合させることにより、２つの脚部の間隔の変動を防止することができる。養生工程では、雰囲気温度を１００℃程度以下に保ってほぼ丸１日、経過させる。養生工程はオートクレーブにより行なう。なお、当然であるが本発明において養生方法はいかなる方法でもよい。自然養生であっても差し支えない。この養生により、窯業系材料の強度を向上させる。
【００１９】
この後、窯業系材料は所定の長さに裁断される。この後、必要に応じて塗装等され、使用に供される。
【００２０】
図４は、養生の際に用いられる治具に装着されたコ字状建材の断面を示す図である。とくに重要なのは、治具１１に設けられた凸部１２である。このような簡単な凸部と凹部との係合という機構を用いることにより、脚部間の変動を防止することができる。治具１１にはステンレススチールやアルミニウムの押出し材を用いて製造することができる。
【００２１】
図５および図６は、本発明のコ字状建材の脚部４を支持し、拘束する、別の例を示す図である。この場合、脚部の先端面に凹部を設けずに、脚部を周りから拘束する点に特徴がある。この場合、脚部先端を拘束する治具の化粧材の方に突き出る部分１３は、自重で治具上に支持された建材の脚部の外側への反りを防止すればよいので、脚部先端部と治具とが少しでも係合する長さがあればよい。すなわち、化粧材の方に突き出る部分１３の高さは極力小さくする。この部分１３を小さくすることにより、化粧材の化粧面と当る部分を実質的に脚部先端部にすることができ、化粧面が損なわれる可能性を小さくすることができる。
【００２２】
上記において、本発明の実施の形態について説明を行なったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【００２３】
【発明の効果】
本発明の窯業系建材およびその製造方法を用いることにより、化粧面を損なうことなく簡単に脚部の反りを防止できる、２本の脚部を有する窯業系建材およびその製造方法を提供することができる。
【図面の簡単な説明】
【図１】本発明の実施の形態における窯業系建材を示す斜視図である。
【図２】袖壁に用いられた図１の建材を示す断面図である。
【図３】本発明の窯業系建材の製造方法を示す図である。
【図４】養生工程において窯業系建材を拘束して支持する治具を示す図である。
【図５】養生工程において窯業系建材を拘束して支持する別の治具を示す図である。
【図６】養生工程において窯業系建材を拘束して支持するさらに別の治具を示す図である。
【符号の説明】
１，１ａ，１ｂ　脚部、２，２ａ，２ｂ　先端面、３，３ａ，３ｂ　凹部（溝）、４　シール材、５　ステンレススクリュ釘、６　ハット型ジョイナ、７　縦胴縁、８　正面部、１０　窯業系建材、１１　治具、１２　治具凸部、１３　治具拘束部、１５　袖壁駆体、１６　本体部化粧材、Ｌｉ　　内法。
【図１】
2004058456.tif 000003
【図２】
2004058456.tif 000004
【図３】
2004058456.tif 000005
【図４】
2004058456.tif 000006
【図５】
2004058456.tif 000007
【図６】
2004058456.tif 000008